(57)【特許請求の範囲】
【請求項１】
折り畳まれた状態から、先に略垂直に立てられる一方の相対する側壁と、該側壁に次いで、後から略垂直に立てられるもう一方の相対する側壁とを有する折り畳みコンテナーにおいて、前記後から立てられる側壁に形成されたロック部材装着空間部に、前記後から立てられる側壁の板状部に対向するように、１個の操作部を配置し、その後、前記後から立てられる側壁の相対する側端リブ側から、それぞれ、ロックバーを水平方向に挿入して、前記ロックバーを、前記操作部に係合させることにより、前記操作部と前記ロックバーとからなるロック部材が、前記後から立てられる側壁に取り付けられているとともに、前記操作部の下動により、前記ロックバーを下動させて、前記ロックバーと前記先に立てられる側壁に形成された係止フックとの係合が解除されるように構成されていることを特徴とする折り畳みコンテナー。
【発明の詳細な説明】
【技術分野】
【０００１】
本発明は、底部を囲むように配設された側壁が、底部に重なるように折り畳むことが可能な折り畳みコンテナーに関するものである。
【背景技術】
【０００２】
従来、平面形状が略長方形に形成された底部の相対する長辺部に、ヒンジ部材を介して連結された長側壁と、同じく上記底部の相対する短辺部に、ヒンジ部材を介して連結された短側壁とからなり、底部に対して略垂直に長側壁と短側壁を立てることにより、箱型に組み立てられ、また、折り畳む際には、底部の上に重なるように、長側壁及び短側壁を折り畳むようにした折り畳みコンテナーが知られており、箱型に組み立てられ状態においては、長側壁或いは短側壁が、底部方向に倒れないように、互いに、ロック部材により、ロックされるように構成されている。
【０００３】
短側壁に配設された操作部を上下動させるとともに、操作部の上下動を、リンク機構等の適当な機構を介して、水平運動に変換することにより、棒状体を水平移動させて、棒状体の先端部を、長側壁に形成された係合部に挿入、或いは、係合部から排出させて、長側壁或いは短側壁が、底部方向に倒れないように、互いに、ロックしたり、或いは、ロックを解除するようにした折り畳みコンテナーが、一例として、特許文献１に開示されている。
【０００４】
【特許文献１】特開２００３−４０２６３号公報
【発明の開示】
【発明が解決しようとする課題】
【０００５】
上述した従来の折り畳みコンテナーにおいては、操作部の上下動を、棒状体の水平運動に変換するための機構が複雑であるために、ロック部材が損傷し易く、その信頼性や耐久性に問題があった。
【０００６】
また、上述した従来の折り畳みコンテナーにおいては、操作部の上下動を、棒状体の水平運動に変換するための機構が複雑であるために、ロック部材の折り畳みコンテナーへの組み付け作業に、熟練や時間を要し、ひいては、折り畳みコンテナーの組み付け作業の作業性が悪くなるという問題があった。
【０００７】
更に、操作部の上下動を、棒状体の水平運動に変換するための機構が複雑であるために、ロック部材を構成する部品が多く、ロック部材の折り畳みコンテナーへの組み付け作業の作業時間が長くなるとともに、部品管理コストが増大するという問題があった。
【０００８】
更にまた、操作部の上下動を、複雑な機構を介して、棒状体の水平運動に変換するために、操作部の上下運動を、棒状体の水平運動へ変換する伝達ロスが大きく、従って、操作部の上下動に、大きな力を要するとともに、迅速なロック解除を行うことができないという問題があった。
【０００９】
本発明の目的は、上述した従来の折り畳みコンテナーが有する課題を解決することにある。
【課題を解決するための手段】
【００１０】
本発明は、上述した目的を達成するために、折り畳まれた状態から、先に略垂直に立てられる一方の相対する側壁と、該側壁に次いで、後から略垂直に立てられるもう一方の相対する側壁とを有する折り畳みコンテナーにおいて、前記後から立てられる側壁に形成されたロック部材装着空間部に、前記後から立てられる側壁の板状部に対向するように、１個の操作部を配置し、その後、前記後から立てられる側壁の相対する側端リブ側から、それぞれ、ロックバーを水平方向に挿入して、前記ロックバーを、前記操作部に係合させることにより、前記操作部と前記ロックバーとからなるロック部材を、前記後から立てられる側壁に取り付け、前記操作部の下動により、前記ロックバーを下動させて、前記ロックバーと前記先に立てられる側壁に形成された係止フックとの係合を解除するように構成したものである。
【発明の効果】
【００１１】
折り畳まれた状態から、先に略垂直に立てられる一方の相対する側壁と、該側壁に次いで、後から略垂直に立てられるもう一方の相対する側壁とを有する折り畳みコンテナーにおいて、前記後から立てられる側壁に形成されたロック部材装着空間部に、前記後から立てられる側壁の板状部に対向するように、１個の操作部を配置し、その後、前記後から立てられる側壁の相対する側端リブ側から、それぞれ、ロックバーを水平方向に挿入して、前記ロックバーを、前記操作部に係合させることにより、前記操作部と前記ロックバーとからなるロック部材を、前記後から立てられる側壁に取り付け、前記操作部の下動により、前記ロックバーを下動させて、前記ロックバーと前記先に立てられる側壁に形成された係止フックとの係合を解除するように構成したので、操作部の下動とロックバーの下動とが、変換機構を介することなくダイレクトに行われ、従って、ロック部材の構造が簡素化され、ロック部材の故障を減少することができるとともに、ロック部材の信頼性や耐久性が向上する。
【００１２】
また、後から立てられる側壁の板状部に対向するように、１個の操作部を配置し、その後、後から立てられる側壁の相対する側端リブ側から、それぞれ、ロックバーを水平方向に挿入して、ロックバーを、操作部に係合させることにより、操作部とロックバーとからなるロック部材を、後から立てられる側壁に取り付けるように構成したので、ロック部材の折り畳みコンテナーへの組み付け作業を、熟練や時間を要することなく行うことができるので、折り畳みコンテナーの組み付け作業の作業性が向上する。
【００１３】
更に、ロック部材を構成する部品が、１個の操作部と一対のロックバーの合計３個であり、従来のロック部材に比べて、構成部品の数が少ないので、従って、ロック部材の折り畳みコンテナーへの組み付け時間が短くなるとともに、部品管理コストを低減することができる。
【００１４】
更にまた、操作部の下動により、ダイレクトに、ロックバーが下動されるように構成したので、操作部の下動に、大きな力を要することがなく、従って、迅速なロック解除を行うことができる。
【実施例】
【００１５】
以下に、本発明の実施例について説明するが、本発明の趣旨を越えない限り、何ら、本実施例に限定されるものではない。
【００１６】
本発明の折り畳みコンテナーは、図１及び図２に示されているように、底部１と、底部１の相対する長辺側土手部１ａにヒンジ連結された長側壁２と、底部１の相対する短辺側土手部１ｂにヒンジ連結された短側壁３とから構成されており、本実施例においては、長辺側土手部１ａの高さは、短辺側土手部１ｂの高さより高く構成されている。
【００１７】
図１に示されている箱型に組み立てられた状態から、先ず最初に、短側壁３を、図２に示されているように、底部１に重なるように倒し、次いで、長側壁２を、底部１に重ねられた短側壁３に重なるように倒すことにより、公知のように、折り畳みコンテナーを、高さの低いコンパクトに折り畳むことができるように構成されており、このようにして折り畳まれた状態から、長側壁２を、略垂直に立て、次いで、短側壁３を略垂直に立てることにより、図１に示されているように、箱型に組み立てることができるように構成されている。
【００１８】
次に、図２及び図３を用いて、長側壁２について説明する。
【００１９】
長側壁２は、横長の略長方形状の板状部２ａを有しており、長側壁２の両垂直端には、板状部２ａに略垂直で、且つ、板状部２ａの内面（折り畳みコンテナーを箱型に組み立てた際に、箱型に組み立てられた折り畳みコンテナーの内側に位置する面）２ａ１に対して、略垂直な縦長の長側壁側係合部材２ｂが形成されている。
【００２０】
長側壁側係合部材２ｂを形成する縦長の帯状板部２ｂ’の上端に形成された上端ブロック部２ｂ１には、上端ブロック部２ｂ１の先端から、板状部２ａに略平行に、垂直板状部２ｂ２が垂下されており、また、垂直板状部２ｂ２の下端には、垂直板状部２ｂ２の下端と板状部２ａの内面２ａ１とを連結する水平板状部２ｂ３が形成されている。そして、長側壁側係合部材２ｂの上端部には、上端ブロック部２ｂ１の下面と垂直板状部２ｂ２と水平板状部２ｂ３と板状部２ａの内面２ａ１とにより囲まれた、上端部嵌合孔２ｃ１が形成されている。
【００２１】
また、上端部嵌合孔２ｃ１を形成する水平板状部２ｂ３の直下に位置する、板状部２ａの内面２ａ１と長側壁側係合部材２ｂの帯状板部２ｂ’とにより形成される隅部には、水平板状部２ｄ１と該水平板状部２ｄ１の先端から下方に延在する垂直板状部２ｄ２とからなる、下方と側部が開放された略Ｌ状の係止フック２ｄが形成されている。
【００２２】
更に、板状部２ａの内面２ａ１と長側壁側係合部材２ｂの帯状板部２ｂ’とにより形成される隅部には、上部水平板状部２ｅ１と、下部水平板状部２ｅ２と、上部水平板状部２ｅ１と下部水平板状部２ｅ２の先端を連結する連結垂直板状部２ｅ３とからなる略コの字状の枠部２ｅが形成されており、このような略コの字状の枠部２ｅを形成することにより、長側壁側係合部材２ｂには、略コの字状の枠部２ｅと板状部２ａの内面２ａ１とにより囲まれた嵌合孔が形成されている。このような、嵌合孔は、長側壁側係合部材２ｂの中程と下端部付近に形成されており、長側壁側係合部材２ｂの中程に形成されている嵌合孔を、中央部嵌合孔と称し、符号２ｃ２を付し、また、長側壁側係合部材２ｂの下端部付近に形成されている嵌合孔を、下部嵌合孔と称し、符号２ｃ３を付す。このような、嵌合孔は、１個のみ、或いは、３個以上、形成することもできる。
【００２３】
次に、図１、図４及び図５を用いて、短側壁３について説明する。
【００２４】
短側壁３は、略方形状の板状部３ａを有しており、板状部３ａの上端には、板状部３ａの外面（折り畳みコンテナーを箱型に組み立てた際に、折り畳みコンテナーの外側に位置する面）３ａ１に対して略垂直方向に延在する上端水平リブ３ｂ及び下端水平リブ３ｃが、それぞれ形成されており、また、上端水平リブ３ｂの両端部と下端水平リブ３ｃの両端部とは、側端リブ３ｄにより連結されている。
【００２５】
短側壁３には、板状部３ａの上部領域或いは全体を、側端リブ３ｄを越えて外側に延在することにより、縦長の短側壁側係合部材３ｅが形成されている。
【００２６】
短側壁側係合部材３ｅは、縦長の帯状板部３ｅ’を有しており、また、側端リブ３ｄの外壁面３ｄ１の上端部付近には、略水平な上端部嵌合片３ｆが形成されているとともに、上端部嵌合片３ｆの直下には、上部水平片３ｇが形成されている。そして、上端部嵌合片３ｆと側端リブ３ｄの外壁面３ｄ１との間には、スリット３ｆ１が形成されている。この上端部嵌合片３ｆは、折り畳みコンテナーが箱型に組み立てられた際に、長側壁２の長側壁側係合部材２ｂに形成された上端部嵌合孔２ｃ１に挿入されるように構成されている。
【００２７】
また、短側壁側係合部材３ｅを構成する帯状板部３ｅ’と側端リブ３ｄの外壁面３ｄ１とにより形成される隅部には、上部水平板状部３ｈ１と、下部水平板状部３ｈ２と、上部水平板状部３ｈ１と下部水平板状部３ｈ２の先端を連結する連結垂直板状部３ｈ３とからなる嵌合部３ｈが形成されており、上部水平板状部３ｈ１と側端リブ３ｄの外壁面３ｄ１との間及び下部水平板状部３ｈ２と側端リブ３ｄの外壁面３ｄ１との間には、それぞれ、スリット３ｈ４が形成されている。このような、嵌合部は、長側壁側係合部材２ｂに形成された中央部嵌合孔２ｃ２と下部嵌合孔２ｃ３に対応して、短側壁側係合部材３ｅの中程と下端部付近に形成されている。短側壁側係合部材３ｅの中程に形成されている嵌合部を、中央部嵌合部と称し、符号３ｈ’を付し、また、短側壁側係合部材３ｅの下端部付近に形成されている嵌合部を、下部嵌合部と称し、符号３ｈ”を付す。
【００２８】
折り畳みコンテナーが箱型に組み立てられた際には、中央部嵌合部３ｈ’が、長側壁２の長側壁側係合部材２ｂに形成された中央部嵌合孔２ｃ２に挿入され、また、下部嵌合部３ｈ”が、長側壁２の長側壁側係合部材２ｂに形成された下部嵌合孔２ｃ３に挿入されるように構成されている。
【００２９】
更に、中央部嵌合部３ｈ’の真上には、上部水平片３ｇと同様の下部水平片３ｉが形成されており、上部水平片３ｇの先端と下部水平片３ｉの先端とは、垂直板状部３ｊにより連結されているとともに、垂直板状部３ｊには、凹部３ｋが形成されている。なお、３ｍは、下部嵌合部３ｈ”の真下付近に位置する側端リブ３ｄを外側に膨出させることにより形成された補助嵌合部であり、上部水平板状部３ｍ１と、下部水平板状部３ｍ２と、上部水平板状部３ｍ１と下部水平板状部３ｍ２の先端を連結する連結垂直板状部３ｍ３とから構成されている。補助嵌合部３ｍは、図２に示されているように、長側壁２が、略垂直に立てられた際に、底部１の長辺側土手部１ａと長側壁２の長側壁側係合部材２ｂの下端との間に形成された嵌合凹部Ａ１に、嵌合されるように構成されている。
【００３０】
次に、図４の更なる拡大図である図５を用いて、短側壁３に形成された、後述するロック部材が装着されるロック部材装着空間部Ａ２について説明する。
【００３１】
上端水平リブ３ｂの直下には、上端水平リブ３ｂと同様の相対する側端リブ３ｄを連結する上端部水平リブ３ｎが形成されており、また、上端部水平リブ３ｎの下方には、同じく、相対する側端リブ３ｄを連結する上部水平リブ３ｐが形成されている。
【００３２】
上端部水平リブ３ｎと上部水平リブ３ｐとの間に位置する側端リブ３ｄには、後述するロック部材のロックバーが上下動可能なような高さを有する縦長の長孔３ｄ２が穿設されている。また、側端リブ３ｄ付近には、上端部水平リブ３ｎと上部水平リブ３ｐを連結するとともに、短側壁３の外面３ａ１にも連接された側端リブ側垂直リブ３ｑが形成されており、側端リブ側垂直リブ３ｑにも、後述するロック部材のロックバーが上下動可能なような高さを有する縦長の長孔３ｑ１が穿設されている。
【００３３】
また、側端リブ側垂直リブ３ｑの短側壁３の中央部寄りには、上端部水平リブ３ｎと上部水平リブ３ｐを連結するとともに、短側壁３の外面３ａ１にも連接された中央寄り垂直リブ３ｒが形成されており、中央寄り垂直リブ３ｒにも、後述するロック部材のロックバーが上下動可能なような高さを有する縦長の長孔３ｒ１が穿設されている。
【００３４】
更に、中央寄り垂直リブ３ｒの短側壁３の中央部寄りには、中央寄り垂直リブ３ｒに隣接して、上端部水平リブ３ｎと上部水平リブ３ｐを連結するとともに、短側壁３の外面３ａ１との間に、後述するロック部材のロックバーが挿入可能な間隙３ｓ１を有する垂直ガイドリブ３ｓが形成されている。
【００３５】
更にまた、相対する垂直ガイドリブ３ｓ間に位置するとともに、上端部水平リブ３ｎと上部水平リブ３ｐとの間に位置する短側壁３の外面３ａ１には、上端部水平リブ３ｎから垂下された垂直部３ｔ１と該垂直部３ｔ１の下端から、側端リブ３ｄ方向に延在する水平部３ｔ２とからなる、後述するロック部材に形成された弾性片の先端部が載置される弾性片載置部３ｔが、一対に形成されている。一対の弾性片載置部３ｔの水平部３ｔ２は、互いに、離反する方向に、垂直部３ｔ１の下端から、側端リブ３ｄ方向に延在するように形成されている。なお、３ｕは、上部水平リブ３ｐの中央部上面に形成された板状の凸条である。
【００３６】
相対する一対の側端リブ３ｄと上端部水平リブ３ｎと上部水平リブ３ｐと短側壁３の外面３ａ１とにより囲まれた領域が、後述するロック部材が装着されるロック部材装着空間部Ａ２である。
【００３７】
次に、図６〜図１０を用いて、操作部Ｈ１’とロックバーＨ１”とからなるロック部材Ｈ１について説明する。
【００３８】
先ず最初に、図６〜図８を用いて、操作部Ｈ１’について説明する。
【００３９】
操作部Ｈ１’は、横長の板状基部ｈ１を有しており、板状基部ｈ１の中央部を、板状基部ｈ１の表面（ロック部材Ｈ１を、短側壁３に装着した際に、外側に位置する面）ｈ１ａから、板状基部ｈ１の裏面（ロック部材Ｈ１を、短側壁３に装着した際に、短側壁３の外面３ａ１と対向する面）ｈ１ｂ方向に膨出させることにより、作業者の指が挿入可能な箱状の操作凹部ｈ２が形成されており、操作凹部ｈ２は、奥板ｈ２ａと相対する側板ｈ２ｂと天板ｈ２ｃと底板ｈ２ｄとから構成されている。なお、底板ｈ２ｄには、短側壁３の上部水平リブ３ｐの中央部上面に形成された板状の凸条３ｕが嵌合可能な凹部ｈ２ｄ’が形成されている。
【００４０】
板状基部ｈ１の裏面ｈ１ｂの両端部には、ロックバー収容部ｈ３が形成されている。
【００４１】
ロックバー収容部ｈ３は、板状基部ｈ１の上端辺から、板状基部ｈ１の裏面ｈ１ｂに垂直に延在する天板ｈ３ａと、板状基部ｈ１の下端辺から、板状基部ｈ１の裏面ｈ１ｂに垂直に延在する底板ｈ３ｂと、天板ｈ３ａの両端と底板ｈ３ｂの両端とを連結する相対する側板とを有している。該相対する側板は、板状基部ｈ１の端辺に沿って形成された側板（以下、この側板を、端部側板と称する。）ｈ３ｃ’と、操作凹部ｈ２側に位置する側板（以下、この側板を、操作凹部側側板と称する。）ｈ３ｃ”とから構成されている。
【００４２】
また、端部側板ｈ３ｃ’には、端部側板ｈ３ｃ’の先端を、部分的に削除することにより、ロックバーＨ１”の高さＴ１と略同じ開口高さＴ２を有するロックバー挿入凹部ｈ３ｄが形成されており、更に、天板ｈ３ａの裏面と底板ｈ３ｂの上面には、ロックバー挿入凹部ｈ３ｄの開口高さＴ２と同じ間隙を有するガイド部ｈ３ｅが、それぞれ形成されており、ガイド部ｈ３ｅは、一端が、端部側板ｈ３ｃ’に連接され、他端が、操作凹部ｈ２方向に延在する水平部ガイド板ｈ３ｅ１と、水平部ガイド板ｈ３ｅ１の他端と天板ｈ３ａ或いは底板ｈ３ｂとを連結する略垂直な連結板ｈ３ｅ２とを有している。なお、ロックバー挿入凹部ｈ３ｄと相対するガイド部ｈ３ｅの水平部ガイド板ｈ３ｅ１との間隙とは、端部側板ｈ３ｃ’から見て、互いに、略完全に重複するように構成されており、あたかも、１つの凹部として形成されている。更に、端部側板ｈ３ｃ’に形成されたロックバー挿入凹部ｈ３ｄは、板状基部ｈ１まで達しておらず、端部側板ｈ３ｃ’は、係止側板として機能するように構成されている。
【００４３】
更に、ロックバー収容部ｈ３を構成する操作凹部側側板ｈ３ｃ”の操作凹部ｈ２側の側面には、操作凹部側側板ｈ３ｃ”から操作凹部ｈ２の側板ｈ２ｂに向かって、下方に延在する操作部付勢用弾性片ｈ４が形成されている。なお、ｈ５は、ロックバー挿入凹部ｈ３ｄと相対するガイド部ｈ３ｅの水平部ガイド板ｈ３ｅ１との間隙に嵌合された後述するロックバーＨ１”の平面をガイドする水平リブであり、ロックバー収容部ｈ３内に位置する短側壁３の外面３ａ１に形成されている。
【００４４】
次に、図６、図９及び図１０を用いて、ロックバーＨ１”について説明する。  
【００４５】
ロックバーＨ１”は、横長のロックバー本体ｈ１０を有しており、ロックバー本体ｈ１０は、横長の帯状の前壁ｈ１０ａと、前壁ｈ１０ａの上端に形成された上端水平リブｈ１０ｂと、前壁ｈ１０ａの下端に形成された下端水平リブｈ１０ｃと、上端水平リブｈ１０ｂと水平下端リブｈ１０ｃの垂直端を連結する垂直端側ｈ１０ｄとから構成されている。
【００４６】
相対する垂直端側ｈ１０ｄの一方には、波状に屈曲された蛇腹状のロックバー付勢用弾性部材ｈ１１が、垂直端側ｈ１０ｄに対して略垂直に形成されており、また、相対する垂直端側ｈ１０ｄのもう一方には、垂直端側ｈ１０ｄに向かって傾斜した傾斜面ｈ１２が形成されている。更に、ロックバー付勢用弾性部材ｈ１１側に位置する前壁ｈ１０ａに、上端水平リブｈ１０ｂと下端水平リブｈ１０ｃに略平行な一対の水平スリット部ｈ１３ａと、一対の水平スリット部ｈ１３ａの傾斜面ｈ１２側の端部を連結する垂直スリット部１３ｂとからなる略コの字状のスリットｈ１３を形成することにより、片持ち状の弾性舌片ｈ１４が形成されており、弾性舌片ｈ１４の自由端部には、前壁ｈ１０ａから外側に膨出するように、係止突部ｈ１４ａが突設されている。波状に屈曲されたロックバー付勢用弾性部材ｈ１１は、ロックバー付勢用弾性部材ｈ１１の先端を、垂直端側ｈ１０ｄ方向に押圧することにより、その弾性力に抗して、その水平方向の長さが短縮されるように構成されており、押圧を解除することにより、その弾性復元力により、その水平方向の長さが、伸張するように構成されている。
【００４７】
次に、図１１及び図１２を用いて、短側壁３へのロック部材Ｈ１の組み付けについて説明する。
【００４８】
先ず最初に、操作部Ｈ１’の一対のロックバー収容部ｈ３を形成する端部側板ｈ３ｃ’が、短側壁３のロック部材装着空間部Ａ２に形成された相対する垂直ガイドリブ３ｓに近接して位置するとともに、短側壁３に形成された弾性片載置部３ｔの水平部３ｔ２に、操作部Ｈ１’に形成された操作部付勢用弾性片ｈ４の先端部が載置されるように、且つ、ロック部材Ｈ１の操作部Ｈ１’が、短側壁３の板状部３ａに対向するように、ロック部材Ｈ１の操作部Ｈ１’を、短側壁３のロック部材装着空間部Ａ２内に配置する。この状態においては、ロック部材Ｈ１の操作部Ｈ１’の上面と短側壁３の上端部水平リブ３ｎとは、互いに、当接或いは接近して位置するように構成されているとともに、ロック部材Ｈ１の操作部Ｈ１’の下面と短側壁３の上部水平リブ３ｐとの間には、所定の間隙が形成されるように構成されている。また、この状態においては、短側壁３の側端リブ３ｄに穿設された長孔３ｄ２と、側端リブ側垂直リブ３ｑに穿設された長孔３ｑ１と、短側壁３の中央寄り垂直リブ３ｒに穿設された長孔３ｒ１と、短側壁３のロック部材装着空間部Ａ２に配置された操作部Ｈ１’の端部側板ｈ３ｃ’に形成されたロックバー挿入凹部ｈ３ｄとが、側端リブ３ｄ側から見て、互いに、略完全に重複するように構成されており、あたかも、１つのトンネルとなるように構成されている。
【００４９】
次いで、短側壁３の相対する側端リブ３ｄ側から、ロックバーＨ１”を、水平移動することにより、ロックバー付勢用弾性部材ｈ１１を先頭にして、順次、短側壁３の側端リブ３ｄに穿設された長孔３ｄ２、側端リブ側垂直リブ３ｑに穿設された長孔３ｑ１、短側壁３の中央寄り垂直リブ３ｒに穿設された長孔３ｒ１、垂直ガイドリブ３ｓの間隙３ｓ１及び短側壁３のロック部材装着空間部Ａ２に配置された操作部Ｈ１’の端部側板ｈ３ｃ’に形成されたロックバー挿入凹部ｈ３ｄに挿入する。このロックバーＨ１”の挿入の際には、ロックバーＨ１”の前壁ｈ１０ａに形成された弾性舌片ｈ１４の係止突部ｈ１４ａが、操作部Ｈ１’の板状基部ｈ１と対向するように配置されている。
【００５０】
上述したようにして、ロックバーＨ１”を、ロックバー付勢用弾性部材ｈ１１を先頭にして、順次、短側壁３の側端リブ３ｄに穿設された長孔３ｄ２、側端リブ側垂直リブ３ｑに穿設された長孔３ｑ１、短側壁３の中央寄り垂直リブ３ｒに穿設された長孔３ｒ１、垂直ガイドリブ３ｓの間隙３ｓ１及び操作部Ｈ１’の端部側板ｈ３ｃ’に形成されたロックバー挿入凹部ｈ３ｄに挿入する過程において、ロックバーＨ１”のロックバー付勢用弾性部材ｈ１１の先端は、操作部Ｈ１’の端部側板ｈ３ｃ’に形成されたロックバー挿入凹部ｈ３ｄに挿入された後、操作部Ｈ１’のロックバー収容部ｈ３を構成する操作凹部側側板ｈ３ｃ”に当接することになり、このロックバーＨ１”のロックバー付勢用弾性部材ｈ１１の先端が、操作部Ｈ１’のロックバー収容部ｈ３を構成する操作凹部側側板ｈ３ｃ”に当接した後、更に、ロックバーＨ１”を前進させると、ロックバーＨ１”の前壁ｈ１０ａに形成された弾性舌片ｈ１４の係止突部ｈ１４ａが、操作部Ｈ１’の端部側板ｈ３ｃ’に形成されたロックバー挿入凹部ｈ３ｄの垂直先端面ｈ３ｄ’に当接し、弾性舌片ｈ１４の自由端部が、短側壁３の板状部３ａ方向に弾性変形し、弾性舌片ｈ１４の係止突部ｈ１４ａが、ロックバー挿入凹部ｈ３ｄの垂直先端面ｈ３ｄ’を越えた時点で、弾性舌片ｈ１４が、その弾性復元力により．元の状態に戻り、弾性舌片ｈ１４の係止突部ｈ１４ａが、ロックバー挿入凹部ｈ３ｄが形成されている操作部Ｈ１’の端部側板ｈ３ｃ’に係止されることになる。このようにして、一対のロックバーＨ１”が、操作部Ｈ１’のロックバー収容部ｈ３に取り付けられることになる。
【００５１】
一対のロックバーＨ１”が、操作部Ｈ１’のロックバー収容部ｈ３に取り付けられた際には、ロックバーＨ１”のロックバー本体ｈ１０は、操作部Ｈ１’の端部側板ｈ３ｃ’に形成されたロックバー挿入凹部ｈ３ｄに嵌合されているとともに、ロックバー本体ｈ１０の上端水平リブｈ１０ｂが、操作部Ｈ１’のロックバー収容部ｈ３内に、上下方向に、一対形成されたガイド部ｈ３ｅのうち、上方に位置するガイド部ｈ３ｅの水平部ガイド板ｈ３ｅ１に、当接或いは接近して位置し、また、ロックバー本体ｈ１０の下端水平リブｈ１０ｃが、操作部Ｈ１’のロックバー収容部ｈ３内に、上下方向に、一対形成されたガイド部ｈ３ｅのうち、下方に位置するガイド部ｈ３ｅの水平部ガイド板ｈ３ｅ１に、当接或いは接近して位置するように構成されており、従って、ロックバーＨ１”は、操作部Ｈ１’のロックバー収容部ｈ３内に形成された一対のガイド部ｈ３ｅの水平部ガイド板ｈ３ｅ１に挟持されるように、水平方向に移動できるように構成されている。
【００５２】
上述したように、操作部Ｈ１’を、短側壁３に形成されたロック部材装着空間部Ａ２に配置し、その後、一対のロックバーＨ１”を、操作部Ｈ１’のロックバー収容部ｈ３に挿着することにより、ロック部材Ｈ１が、短側壁３に組み付けられることになる。このようにして、ロック部材Ｈ１が、短側壁３に組み付けられた状態において、ロックバーＨ１”を引き抜こうとしても、上述したように、ロックバーＨ１”に形成された弾性舌片ｈ１４の係止突部ｈ１４ａが、ロックバー挿入凹部ｈ３ｄが形成されている操作部Ｈ１’の端部側板ｈ３ｃ’に係止されているので、簡単には、ロックバーＨ１”が、操作部Ｈ１’から引き抜かれることはない。
【００５３】
また、上述したようにして、ロック部材Ｈ１が、短側壁３に組み付けられた際には、ロックバーＨ１”の傾斜面ｈ１２は、短側壁３の外面３ａ１側に位置するとともに、ロックバー本体ｈ１０の先端部が、短側壁３に形成された短側壁側係合部材３ｅを構成する垂直板状部３ｊに形成された  凹部３ｋ内に位置するとともに、ロックバー本体ｈ１０の傾斜面ｈ１２側の垂直端側ｈ１０ｄが、短側壁側係合部材３ｅを越えて、外側に延在しないように構成されている。
【００５４】
ロック部材Ｈ１が、短側壁３に組み付けられた際には、上述したように、操作部Ｈ１’の上面と短側壁３の上端部水平リブ３ｎとは、互いに、当接或いは接近して位置するように構成されているとともに、ロック部材Ｈ１の操作部Ｈ１’の下面と短側壁３の上部水平リブ３ｐとの間には、所定の間隙が形成されるように構成されており、この状態から、操作部Ｈ１’の操作凹部ｈ２に指を入れて、操作凹部ｈ２を構成する底板ｈ２ｄに指を押し当てて、操作部Ｈ１’を押し下げると、操作部Ｈ１’は、短側壁３に形成された相対する垂直ガイドリブ３ｓに沿って、下動するとともに、操作部付勢用弾性片ｈ４は、略水平状態に弾性変形することになる。また、操作部Ｈ１’の下動に伴って、操作部Ｈ１’に取り付けられている一対のロックバーＨ１”も、短側壁３の側端リブ３ｄに穿設された長孔３ｄ２、側端リブ側垂直リブ３ｑに穿設された長孔３ｑ１、短側壁３の中央寄り垂直リブ３ｒに穿設された長孔３ｒ１、垂直ガイドリブ３ｓの間隙３ｓ１に沿って、下動するように構成されている。
【００５５】
また、操作部Ｈ１’に取り付けられているロックバーＨ１”に、ロックバーＨ１”の軸線方向に、外側から負荷が加わった場合には、操作部Ｈ１’の端部側板ｈ３ｃ’に形成されたロックバー挿入凹部ｈ３ｄに挿入されているとともに、ガイド部ｈ３ｅの水平部ガイド板ｈ３ｅ１に挟持されているロックバーＨ１”のロックバー本体ｈ１０は、ロックバー付勢用弾性部材ｈ１１を、その長さ方向に圧縮しながら、操作部Ｈ１’の操作凹部ｈ２方向に水平移動することになる。また、ロックバーＨ１”の軸線方向への負荷が解除された場合には、ロックバー付勢用弾性部材ｈ１１の弾性復元力により、ロックバーＨ１”のロックバー本体ｈ１０は、操作部Ｈ１’の操作凹部ｈ２から離反する方向に水平移動することになる。
【００５６】
次に、主として、図１３〜図１６を用いて、長側壁２と短側壁３とのロック状態について説明する。
【００５７】
上述したように、折り畳まれた状態の折り畳みコンテナーを、箱型に組み立てるには、先ず最初に、底部１重なるように倒されている短側壁３に重ねられている長側壁２を、垂直方向に回動させて、図２に示されているように、略垂直に立てる。
【００５８】
次いで、底部１に重なるように倒されている短側壁３を、垂直方向に回動させることになるが、短側壁３の垂直方向へに回動途中において、ロック部材Ｈ１を構成するロックバーＨ１”のロックバー本体ｈ１０の先端部に形成された傾斜面ｈ１２が、図１３に示されているように、長側壁２の長側壁側係合部材２ｂに形成された係止フック２ｄの垂直板状部２ｄ２に当接することになる。このような、ロックバーＨ１”のロックバー本体ｈ１０に形成された傾斜面ｈ１２が、長側壁２の長側壁側係合部材２ｂに形成された係止フック２ｄの垂直板状部２ｄ２に当接する前後において、短側壁３の短側壁側係合部材３ｅに形成された上端部嵌合片３ｆが、長側壁２の長側壁側係合部材２ｂに形成された上端部嵌合孔２ｃ１に嵌合されることになる。
【００５９】
上述した状態から、短側壁３を、更に、垂直方向に回動させると、ロックバーＨ１”のロックバー本体ｈ１０には、ロックバー本体ｈ１０を、ロック部材装着空間部Ａ２の中央部方向、換言すれば、短側壁３の中央部方向へ、水平移動させるような負荷が発生し、先端が、操作部Ｈ１’のロックバー収容部ｈ３を構成する操作凹部側側板ｈ３ｃ”に当接しているロックバーＨ１”のロックバー付勢用弾性部材ｈ１１が、その弾性力に抗して、長さ方向に圧縮されて、ロックバーＨ１”のロックバー本体ｈ１０が、短側壁３の中央部方向へ水平移動することになる。このような、ロックバー本体ｈ１０の短側壁３の中央部方向への水平移動により、図１４に示されているように、ロックバー本体ｈ１０が、長側壁２の長側壁側係合部材２ｂに形成された係止フック２ｄの垂直板状部２ｄ２から外れ、ロックバー本体ｈ１０の先端が、係止フック２ｄの垂直板状部２ｄ２を越えた時点で、ロックバー本体ｈ１０が、ロックバーＨ１”のロックバー付勢用弾性部材ｈ１１の弾性復元力により、外側（長側壁２方向）に水平移動し、ロックバー本体ｈ１０の先端部が、図１５や図１６に示されているように、係止フック２ｄの垂直板状部２ｄ２の背後に位置し、従って、短側壁３に、底部１方向に倒れるような負荷が加わっても、ロックバー本体ｈ１０の先端部が、係止フック２ｄの垂直板状部２ｄ２に当接し、短側壁３が、底部１方向に倒れるようなことが阻止される。
【００６０】
上述したように、ロックバーＨ１”のロックバー本体ｈ１０に形成された傾斜面ｈ１２の長側壁２の長側壁側係合部材２ｂに形成された係止フック２ｄの垂直板状部２ｄ２への当接に前後して、短側壁３の短側壁側係合部材３ｅに形成された上端部嵌合片３ｆが、長側壁２の長側壁側係合部材２ｂに形成された上端部嵌合孔２ｃ１に嵌合されるとともに、図１５に示されているように、短側壁３の短側壁側係合部材３ｅに形成された中央部嵌合部３ｈ’及び下部嵌合部３ｈ”が、長側壁２の長側壁側係合部材２ｂに形成された中央部嵌合孔２ｃ２及び下部嵌合孔２ｃ３に、それぞれ嵌合されることになる。このように、折り畳みコンテナーが、箱型に組み立てられた状態において、短側壁３の短側壁側係合部材３ｅに形成された上端部嵌合片３ｆ、中央部嵌合部３ｈ’及び下部嵌合部３ｈ”が、長側壁２の長側壁側係合部材２ｂに形成された上端部嵌合孔２ｃ１、中央部嵌合孔２ｃ２及び下部嵌合孔２ｃ３に、それぞれ嵌合されているので、箱型に組み立てられた折り畳みコンテナーに収容された物品や、長側壁２や短側壁３に加わる負荷により、長側壁２や短側壁３に、外側に向かう負荷が加わっても、長側壁２と短側壁３とが離反するようなことを防止することができる。
【００６１】
上述した長側壁２と短側壁３とのロック状態は、短側壁３に配設されたロック部材Ｈ１を、上下動することなく、単に、短側壁３を、略垂直状態の長側壁２方向に回動させるだけでよいので、折り畳みコンテナーの組み立て作業の作業性が向上する。
【００６２】
また、箱型に組み立てられた折り畳みコンテナーを、折り畳む際には、短側壁３に配設されているロック部材Ｈ１を下動させて、図１７に示されているように、ロック部材Ｈ１を構成するロックバーＨ１”のロックバー本体ｈ１０の先端部を、長側壁２の長側壁側係合部材２ｂに形成されている係止フック２ｄの垂直板状部２ｄ２から外して、長側壁２と短側壁３とのロック状態を解除し、次いで、短側壁３を、底部１に重なるように倒し、その後、長側壁２を、底部１方向に倒すことにより、箱型に組み立てられた折り畳みコンテナーを、折り畳むことができる。
【００６３】
上述したように、ロック部材Ｈ１が、１個の操作部Ｈ１’と操作部Ｈ１’に取り付けられる一対のロックバーＨ１”とにより構成されているとともに、操作部Ｈ１’を下動させて、操作部Ｈ１’に取り付けられているロックバーＨ１”を下動させることにより、ロックバーＨ１”のロックバー本体ｈ１０の先端部を、長側壁２の長側壁側係合部材２ｂに形成されている係止フック２ｄから外して、長側壁２と短側壁３とのロック状態を解除することができるように構成されているので、従来の折り畳みコンテナーに配設されているロック部材のように、操作部の上下動を、ロックバーの水平移動に変換するリンク機構等の変換機構が配設されている従来の折り畳みコンテナーに比べ、ロック部材の信頼性や耐久性が向上する。
【００６４】
また、ロック部材Ｈ１が、１個の操作部Ｈ１’と一対のロックバーＨ１”との３個の部品だけで構成されているので、短側壁３へのロック部材Ｈ１の組み付け作業を簡素化することができ、ひいては、折り畳みコンテナーの組み付け作業の作業性を向上することができる。
【００６５】
更に、ロック部材Ｈ１の構成部品数が少ないので、部品管理コストを低減することができる。
【００６６】
更にまた、操作部Ｈ１’を下動させることにより、複雑な機構を介することなく、ロックバーＨ１”を下動させることができるので、操作部Ｈ１’の下動が、直接に、ロックバーＨ１”の下動となるので、従来のように、上下動運動を、水平移動に変換するような伝達ロスがなく、従って、操作部Ｈ１’の下動に、大きな力を必要とせず、且つ、迅速なロック解除を行うことができる。
【００６７】
次に、図１８及び図１９を用いて、ロック部材の別な実施例について説明する。なお、長側壁２及び短側壁３の構成は、上述した実施例と同じである。
【００６８】
この実施例のロック部材Ｈ２は、上述した実施例と同様に、１個の操作部Ｈ２’と２個のロックバーＨ２”とから形成されている。
【００６９】
操作部Ｈ２’の操作凹部側側板ｈ３ｃ”には、操作部付勢用弾性片ｈ４と反対側に、操作部付勢用弾性片ｈ４と同様の操作凹部側側板ｈ３ｃ”からロックバー挿入凹部ｈ３ｄ方向に、下方に延在するロックバー付勢用弾性片ｈ２０が形成されている。この実施例においては、上述した実施例における、ロックバーＨ１”に形成された蛇腹状のロックバー付勢用弾性部材ｈ１１を省略し、操作凹部側側板ｈ３ｃ”に、ロックバー付勢用弾性片ｈ２０を形成したものである。換言すれば、ロックバーＨ１”は、横長のロックバー本体ｈ１０のみから構成されている。
【００７０】
ロックバーＨ２”を、操作部Ｈ２’に取り付けた際には、ロックバーＨ１”のロックバー本体ｈ１０の垂直端側ｈ１０ｄが、ロックバー付勢用弾性片ｈ２０の自由端に当接するように構成されている。
【００７１】
操作部Ｈ２’に取り付けられているロックバーＨ２”に、ロックバーＨ２”の軸線方向に、外側から負荷が加わった場合には、ロックバー付勢用弾性片ｈ２０が、操作凹部側側板ｈ３ｃ”方向に弾性変形し、ロックバーＨ２”が、短側壁３の中央部方向に水平移動することになり、また、負荷が解除された場合には、ロックバーＨ２”が、ロックバー付勢用弾性片ｈ２０の弾性復元力により、外側に、水平移動することになる。
【００７２】
ロックバーＨ２”の操作部Ｈ２’への取付け方法やロック部材Ｈ２の作用効果は、上述した実施例と、実質的に同じであるので、その説明は省略する。
【００７３】
次に、図２０及び図２１を用いて、ロック部材の更に別な実施例について説明する。なお、長側壁２及び短側壁３の構成は、上述した実施例と同じである。
【００７４】
この実施例のロック部材Ｈ３は、上述した実施例と同様に、操作部Ｈ３’とロックバーＨ３”とから形成されている。
【００７５】
この実施例においては、上述した実施例の操作部Ｈ１’に形成されているガイド部ｈ３ｅが省略されているとともに、ロックバー収容部ｈ３を構成する天板ｈ３ａの中程には、上部当接リブｈ３０ａが垂下されており、また、ロックバー収容部ｈ３を構成する底板ｈ３ｂの中程には、下部当接リブｈ３０ｂが立設されている。このように、ガイド部ｈ３ｅが省略されているとともに、上部当接リブｈ３０ａと下部当接リブｈ３０ｂが形成されている以外は、上述した実施例の操作部Ｈ１’と、実質的に同じであるので、その詳細な説明は、省略する。
【００７６】
この実施例のロックバーＨ３”においても、図１８及び図１９を用いて説明した実施例と同様に、ロックバーＨ１”に形成された蛇腹状のロックバー付勢用弾性部材ｈ１１が省略されているとともに、ロックバーＨ３”は、上述した実施例と同様に、横長のロックバー本体ｈ１０を有している。また、ロックバー本体ｈ１０の操作部Ｈ１’への挿入方向先端部に位置する上端水平リブｈ１０ｂの上面には、凹部ｈ１０ｂ’が形成されているとともに、ロックバー本体ｈ１０の操作部Ｈ１’への挿入方向先端部に位置する下端水平リブｈ１０ｃの下面には、凹部ｈ１０ｃ’が形成されている。
【００７７】
また、ロックバー本体ｈ１０の上端水平リブｈ１０ｂの上面に形成された凹部ｈ１０ｂ’には、下端が、凹部ｈ１０ｂ’に連接され、その自由端部が、ロックバー本体ｈ１０の傾斜面ｈ１２方向に傾斜したロックバー付勢用弾性片ｈ３１ａが形成されており、同様に、ロックバー本体ｈ１０の下端水平リブｈ１０ｃの下面に形成された凹部ｈ１０ｃ’には、下端が、凹部ｈ１０ｃ’に連接され、その自由端部が、ロックバー本体ｈ１０の傾斜面ｈ１２方向に傾斜したロックバー付勢用弾性片ｈ３１ｂが形成されている。
【００７８】
ロックバーＨ３”を、操作部Ｈ３’に取り付けた際には、ロックバーＨ３”のロックバー本体ｈ１０の凹部ｈ１０ｂ’内に形成されたロックバー付勢用弾性片ｈ３１ａが、操作部Ｈ３’に形成された上部当接リブｈ３０ａに当接し、また、ロックバーＨ３”のロックバー本体ｈ１０の凹部ｈ１０ｃ’内に形成されたロックバー付勢用弾性片ｈ３１ｂが、操作部Ｈ３’に形成された下部当接リブｈ３０ｂに当接するように構成されている。
【００７９】
操作部Ｈ３’に取り付けられているロックバーＨ３”に、ロックバーＨ３”の軸線方向に、外側から負荷が加わった場合には、ロックバー付勢用弾性片ｈ３１ａ、ｈ３１ｂの先端が、互いに接近する方向に弾性変形し、ロックバーＨ３”が、短側壁３の中央部方向に水平移動することになり、また、負荷が解除された場合には、ロックバー付勢用弾性片ｈ３１ａ、ｈ３１ｂの弾性復元力により、ロックバーＨ３”が、外側に、水平移動することになる。
【００８０】
ロックバーＨ３”を、操作部Ｈ３’の端部側板ｈ３ｃ’に形成されたロックバー挿入凹部ｈ３ｄに挿入する際には、ロックバーＨ３”のロックバー付勢用弾性片ｈ３１ａが、凹部ｈ１０ｂ’内に収容され、また、ロックバーＨ３”のロックバー付勢用弾性片ｈ３１ｂが、凹部ｈ１０ｃ’内に収容されるように構成されているので、ロックバー挿入凹部ｈ３ｄの開口高さＴ２を、上述した実施例と同じとすることができるとともに、ロックバーＨ３”を、操作部Ｈ３’に取り付けた際に、ロックバー挿入凹部ｈ３ｄとロックバーＨ３”との間に間隙が形成され、ロックバーＨ３”が上下方向に移動するようなことを防止することができる。
【図面の簡単な説明】
【００８１】
【図１】図１は、本発明の折り畳みコンテナーが箱型に組み立てられた状態の斜視図である。
【図２】図２は、本発明の折り畳みコンテナーの組み立て途中或いは折り畳み途中の斜視図である。
【図３】図３は、本発明の折り畳みコンテナーを構成する長側壁の部分拡大斜視図である。
【図４】図４は、本発明の折り畳みコンテナーを構成する短側壁の部分斜視図である。
【図５】図５は、本発明の折り畳みコンテナーを構成する短側壁の部分拡大斜視図である。
【図６】図６は、本発明の折り畳みコンテナーを構成するロック部材の分解斜視図である。
【図７】図７は、本発明の折り畳みコンテナーのロック部材を構成する操作部の斜視図である。
【図８】図８は、同じく、本発明の折り畳みコンテナーのロック部材を構成する操作部の斜視図である。
【図９】図９は、本発明の折り畳みコンテナーを構成するロックバーの斜視図である。
【図１０】図１０は、同じく、本発明の折り畳みコンテナーを構成するロックバーの斜視図である。
【図１１】図１１は、本発明の折り畳みコンテナーに、ロック部材が配設された状態の分解斜視図である。
【図１２】図１２は、本発明の折り畳みコンテナーの短側壁に、ロック部材が配設された状態の垂直断面を含む斜視図である。
【図１３】図１３は、本発明の折り畳みコンテナーの長側壁と短側壁とが係合される状態の部分拡大斜視図である。
【図１４】図１４は、同じく、本発明の折り畳みコンテナーの長側壁と短側壁とが係合される状態の部分拡大斜視図である。
【図１５】図１５は、本発明の折り畳みコンテナーの長側壁と短側壁とが係合された状態の部分拡大斜視図である。
【図１６】図１６は、同じく、本発明の折り畳みコンテナーの長側壁と短側壁とが係合された状態の部分拡大斜視図である。
【図１７】図１７は、同じく、本発明の折り畳みコンテナーの長側壁と短側壁とが係合された状態の部分拡大斜視図である。
【図１８】図１８は、本発明の別の実施例のロック部材の分解斜視図である。
【図１９】図１９は、図１８に示されているロック部材の斜視図である。
【図２０】図２０は、本発明の更に別の実施例のロック部材の分解斜視図である。
【図２１】図２１は、図２０に示されているロック部材の斜視図である。
【符号の説明】
【００８２】
Ａ２・・・・・・・・・・ロック部材装着空間部
Ｈ１〜Ｈ３・・・・・・・ロック部材
Ｈ１’〜Ｈ３’・・・・・操作部材
Ｈ１”〜Ｈ３”・・・・・ロックバー
１・・・・・・・・・・・底部
２・・・・・・・・・・・長側壁
２ｂ・・・・・・・・・・長側壁側係合部材
３・・・・・・・・・・・短側壁
３ｅ・・・・・・・・・・短側壁側係合部材
【図１】
0005091759.tif 000002
【図２】
0005091759.tif 000003
【図３】
0005091759.tif 000004
【図４】
0005091759.tif 000005
【図５】
0005091759.tif 000006
【図６】
0005091759.tif 000007
【図７】
0005091759.tif 000008
【図８】
0005091759.tif 000009
【図９】
0005091759.tif 000010
【図１０】
0005091759.tif 000011
【図１１】
0005091759.tif 000012
【図１２】
0005091759.tif 000013
【図１３】
0005091759.tif 000014
【図１４】
0005091759.tif 000015
【図１５】
0005091759.tif 000016
【図１６】
0005091759.tif 000017
【図１７】
0005091759.tif 000018
【図１８】
0005091759.tif 000019
【図１９】
0005091759.tif 000020
【図２０】
0005091759.tif 000021
【図２１】
0005091759.tif 000022